(57)【特許請求の範囲】
【請求項１】
固体酸化物電解質、水素極及び酸素極からなる電気化学セルと、同一の水蒸気を前記水素極及び酸素極に供給する水蒸気供給部と、前記水蒸気の電気分解により水素極で生成した水素を排出する水素ガス排出部と、前記水蒸気の電気分解により酸素極で生成した酸素を排出する酸素ガス排出部と、を有する水蒸気電解装置であって、
前記水素極が少なくとも水蒸気供給部側に耐酸化性材料を含有し、かつ、前記酸素極が少なくとも水蒸気供給部側に耐還元性材料を含有し、
前記耐還元性材料は、Ｐｔ、Ｒｕ、Ｐｄ、Ｒｈの少なくとも一つを含む貴金属又は該貴金属の合金であり、前記耐酸化性材料は、Ｐｔ、Ｒｕ、Ｐｄ、Ｒｈの少なくとも一つを含む貴金属、該貴金属の合金又はＹＳＺ、ＳｃＳＺ、ＳＤＣ、ＧＤＣ、ＬＤＣの多孔質セラミックに貴金属を混合したサーメットであって、
前記耐酸化性材料及び前記耐還元性材料の少なくとも一方が、前記水蒸気供給部側からガス排出部側に向かって含有する濃度が減少するように傾斜的に含有することを特徴とする水蒸気電解装置。
【請求項２】
前記同一の水蒸気を前記水素極及び酸素極に供給する水蒸気供給部が、同一の供給部であることを特徴とする請求項１記載の水蒸気電解装置。
【請求項３】
前記同一の水蒸気を前記水素極及び酸素極に供給する水蒸気供給部を、それぞれ異なる供給部とし、前記水素極及び酸素極に供給される水蒸気の流れ方向を逆方向としたことを特徴とする請求項１記載の水蒸気電解装置。
【請求項４】
前記水素極及び酸素極の少なくとも一方が、電極材料に、前記耐酸化性材料又は前記耐還元性材料を添加して形成されていることを特徴とする請求項１乃至３のいずれか１項記載の水蒸気電解装置。
【請求項５】
前記水素極側に還元性ガスを含有するガスの添加供給手段及び前記酸素極側に酸化性ガスを含有するガスの添加供給手段の少なくとも一方を有することを特徴とする請求項１乃至４のいずれか１項記載の水蒸気電解装置。
【請求項６】
前記還元性ガスが、水素極を流通して水素ガス排出部から排出されるガスであり、前記酸化性ガスが、酸素極を流通して酸素ガス排出部から排出されるガスであって、前記還元性ガス及び前記酸化性ガスの少なくとも一方を循環して添加供給する循環供給手段を有することを特徴とする請求項５記載の水蒸気電解装置。
【請求項７】
同一の水蒸気を供給する水蒸気供給工程と、前記供給された水蒸気を、固体酸化物電解質、水素極及び酸素極からなる電気化学セルの前記水素極及び酸素極に接触させて、前記水蒸気を電気分解して水素ガスと酸素ガスを生成する電解工程と、前記水素ガスと前記酸素ガスが互いにリークしないように別々に排出されるガス排出工程と、を有する水蒸気電解方法において、
前記水素極が少なくとも水蒸気供給部側に耐酸化性材料を含有し、かつ、前記酸素極が少なくとも水蒸気供給部側に耐還元性材料を含有し、
前記耐還元性材料は、Ｐｔ、Ｒｕ、Ｐｄ、Ｒｈの少なくとも一つを含む貴金属又は該貴金属の合金であり、前記耐酸化性材料は、Ｐｔ、Ｒｕ、Ｐｄ、Ｒｈの少なくとも一つを含む貴金属、該貴金属の合金又はＹＳＺ、ＳｃＳＺ、ＳＤＣ、ＧＤＣ、ＬＤＣの多孔質セラミックに貴金属を混合したサーメットであって、
前記耐酸化性材料及び前記耐還元性材料の少なくとも一方が、前記水蒸気供給部側からガス排出部側に向かって含有する濃度が減少するように傾斜的に含有することを特徴とする水蒸気電解方法。
【発明の詳細な説明】
【技術分野】
【０００１】
本発明は、水素極と酸素極とに供給するガスを同一の水蒸気とした簡易な装置構造により形成され、電極を長寿命化して、高効率に水蒸気を電気分解して水素を製造することができる水蒸気電解装置及び水蒸気電解方法に関する。
【背景技術】
【０００２】
高温水蒸気電解法は、高温の水蒸気を電気分解することにより水素と酸素とを得る方法で、その動作原理は固体電解質燃料電池（以下、ＳＯＦＣと称する。）の逆反応である。
【０００３】
高温水蒸気電解を行うには、一般には、固体酸化物電解質材料を介して水素極と酸素極の電極を設けた電気化学セルを用い、この電気化学セルによる水蒸気の電気分解によって得られる水素と酸素とを隔てる構造が必要である。従来、水素極側雰囲気は、燃料となる水蒸気と水素が主成分となり、一方、酸素極側雰囲気は、供給ガスを空気とした場合、窒素と酸素が主な成分となり、供給ガスを酸素とした場合は、酸素が主な成分となる。この場合、両極へ供給するガスの種類が全く異なり、夫々に対して、ガスの供給機構が必要となり、構成が複雑であった。
【０００４】
また、電気化学セルの構造は、平板型や円筒型などがあり、水素極側雰囲気と酸素極側雰囲気は電気化学セルを構成している固体酸化物電解質の緻密構造とセル端部のガスシールにより分け隔てられ、相互への雰囲気ガスのリークを最小限にとどめている。電気化学セル単体で使用する場合であれば、セル端部のガスシールは比較的容易であるが、これらを積層するなどして集合体として使用する場合、特にセル端部のガスシール信頼性は低下すると考えられる。
【０００５】
ここで、円筒型セルを複数配置した従来の高温水蒸気電解装置（特許文献１参照）を例にとり、以下、図面を参照しながら説明する。従来の高温水蒸気電解装置の構造模式図を図１２に、セル周辺部の構造を図１３に示した。
【０００６】
図１２に示したように、水蒸気電解装置１００の主要構成部は、円筒型の電解セル１０１と、水蒸気供給室１０２と、水蒸気及び生成水素排出室１０３と、水蒸気注入管１０４と、酸素生成室１０５と、からなっている。
【０００７】
そして、図１３に示したように、この電気化学セル１０１は、その片端に、電流リード用金属キャップ１０６が設けられ、他端にはシールキャップ１０７を設けて閉構造とし、セルでの燃料の供給・排出を一方の端部のみで行うようになっている。また、管板とのシール部においてセルを支持する。電流リードは、水素極側電流リード部はテーパ型シーリング１０８を用いて取り出され、酸素極側はセル下端のセルリード部がシールキャップ１０７に固定されてセル内部に導入され、還元雰囲気を通って電流リード用金属キャップ１０６から取り出される構成となっている。
【０００８】
この構成の場合、水素極側と酸素極側の雰囲気ガスがそれぞれ、水素極側では水素及び水蒸気、酸素極側では窒素及び酸素であるため、ガス導入部を分割しなければならず、構造的に複雑である。また、水素極側雰囲気と酸素極側雰囲気のガスシール部はセル上下の２箇所となり、かつ、該ガスシール部は、いずれの場合でもセルリード部を含んだシール構造となっているため、確実で信頼性のあるシールの実現が困難である。さらには、高温で使用するため、シールの寿命が短命化しやすく、これを長命化することも課題であった。
【０００９】
これらの課題についての一つの有力な解決方法としては、特許文献２に示されるように、固体酸化物を主な素材とする電解質と、水素極と、酸素極と、を主な構成要素とする電気化学セルを用いて、水蒸気を電気分解し、水素を生成する水蒸気電解において、水素極及び酸素極に供給するガスが、いずれも水蒸気を主な成分とすることを基本とし、供給条件や、流れ条件などを特徴とする水蒸気電解方法及び装置を、また、水素極雰囲気と酸素極雰囲気とを分け隔てる、シール部分近傍に、水素及び酸素以外の不活性ガスや水蒸気を主な成分とするガスを供給することを特徴とする水蒸気電解方法及び装置を提案した。
【００１０】
これらによって、装置構造を簡易化し、また、水素極側雰囲気と酸素極側雰囲気間で生じるガスリークによる影響を軽減し、できるだけ緩和・簡易・安全な運転が可能な高温水蒸気電解方法及び装置を得ることが可能となった。
【先行技術文献】
【特許文献】
【００１１】
【特許文献１】特開平３−６２４６０号公報
【特許文献２】特開２００７−６３６１９号公報
【発明の概要】
【発明が解決しようとする課題】
【００１２】
しかしながら、水素極材料としては、一般的に、Ｎｉ−ＹＳＺ（ニッケル−イットリア安定化ジルコニア）、Ｎｉ−ＳＤＣ（ニッケル−セリア）等の材料が用いられているが、これらの材料は還元性雰囲気で使用されており、また酸素極材料は、一般的に、ＬＳＣ（ランタンストロンチウムコバルタイト）、ＬＳＭ（ランタンストロンチウムマンガナイト）等の複合酸化物が用いられているが、これらの複合酸化物材料は、低濃度の酸素雰囲気での使用に際しては、結晶構造を構成する酸素の離脱により構造が変化し、共に水蒸気を主成分とするガスにおいては、その特性維持が困難となる場合がある。
【００１３】
そこで、本発明は、水素極と酸素極とで共通のガスとして水蒸気を用いる水蒸気電解装置及び方法の発明における利点を保持しながら、電気化学セルにおける電極の酸化・還元劣化を抑制しつつ、効率的に水蒸気を電気分解することができる高温水蒸気電解装置及び方法を提供することを目的とするものである。
【課題を解決するための手段】
【００１４】
本発明者らは、鋭意検討した結果、電極の材料として、水素極側の電極に耐酸化性の材料及び／又は酸素極側の電極に耐還元性の材料を用いることによって、電気化学セルの性能・耐久性を向上させることができることを見出し、本発明を完成したものである。
【００１５】
すなわち、本発明に係る水蒸気電解装置は、固体酸化物電解質、水素極及び酸素極からなる電気化学セルと、同一の水蒸気を水素極及び酸素極に供給する水蒸気供給部と、水蒸気の電気分解により水素極で生成した水素を排出する水素ガス排出部と、水蒸気の電気分解により酸素極で生成した酸素を排出する酸素ガス排出部と、を有する水蒸気電解装置であって、酸素極が少なくとも水蒸気供給部側に耐還元性材料を含有し、耐還元性材料は、Ｐｔ、Ｒｕ、Ｐｄ、Ｒｈの少なくとも一つを含む貴金属又は該貴金属の合金であることを特徴とするものである。
【００１６】
また、本発明に係る他の水蒸気電解装置は、固体酸化物電解質、水素極及び酸素極からなる電気化学セルと、同一の水蒸気を前記水素極及び酸素極に供給する水蒸気供給部と、水蒸気の電気分解により水素極で生成した水素を排出する水素ガス排出部と、水蒸気の電気分解により酸素極で生成した酸素を排出する酸素ガス排出部と、を有する水蒸気電解装置であって、水素極が少なくとも水蒸気供給部側に耐酸化性材料を含有し、耐酸化性材料は、Ｐｔ、Ｒｕ、Ｐｄ、Ｒｈの少なくとも一つを含む貴金属、該貴金属の合金又はＹＳＺ、ＳｃＳＺ、ＳＤＣ、ＧＤＣ、ＬＤＣの多孔質セラミックに貴金属を混合したサーメットであることを特徴とするものである。
【００１７】
さらに、本発明に係る他の水蒸気電解装置は、固体酸化物電解質、水素極及び酸素極からなる電気化学セルと、同一の水蒸気を水素極及び酸素極に供給する水蒸気供給部と、水蒸気の電気分解により水素極で生成した水素を排出する水素ガス排出部と、水蒸気の電気分解により酸素極で生成した酸素を排出する酸素ガス排出部と、を有する水蒸気電解装置であって、水素極が少なくとも水蒸気供給部側に耐酸化性材料を含有し、かつ、酸素極が少なくとも水蒸気供給部側に耐還元性材料を含有し、耐還元性材料は、Ｐｔ、Ｒｕ、Ｐｄ、Ｒｈの少なくとも一つを含む貴金属又は該貴金属の合金であり、耐酸化性材料は、Ｐｔ、Ｒｕ、Ｐｄ、Ｒｈの少なくとも一つを含む貴金属、該貴金属の合金又はＹＳＺ、ＳｃＳＺ、ＳＤＣ、ＧＤＣ、ＬＤＣの多孔質セラミックに貴金属を混合したサーメットであることを特徴とするものである。
【００１８】
また、本発明に係る他の水蒸気電解方法は、同一の水蒸気を供給する水蒸気供給工程と、供給された水蒸気を、固体酸化物電解質、水素極及び酸素極からなる電気化学セルの前記水素極及び酸素極に接触させて、水蒸気を電気分解して水素ガスと酸素ガスを生成する電解工程と、水素ガスと前記酸素ガスが互いにリークしないように別々に排出されるガス排出工程と、を有する水蒸気電解方法において、水素極が少なくとも水蒸気供給部側に耐酸化性材料を含有し、かつ、酸素極が少なくとも水蒸気供給部側に耐還元性材料を含有し、耐還元性材料は、Ｐｔ、Ｒｕ、Ｐｄ、Ｒｈの少なくとも一つを含む貴金属又は該貴金属の合金であり、耐酸化性材料は、Ｐｔ、Ｒｕ、Ｐｄ、Ｒｈの少なくとも一つを含む貴金属、該貴金属の合金又はＹＳＺ、ＳｃＳＺ、ＳＤＣ、ＧＤＣ、ＬＤＣの多孔質セラミックに貴金属を混合したサーメットであることを特徴とするものである。
【発明の効果】
【００１９】
本発明の水蒸気電解装置及び方法によれば、簡易な装置構造を形成でき、かつ、電気化学セルにおける電極の酸化・還元劣化を抑制して、効率的に水蒸気を電気分解することができる。
【図面の簡単な説明】
【００２０】
【図１】平板型電気化学セルを用いた水蒸気電解装置の概略構成を示した斜視図
【図２】図１に示した水蒸気電解装置の側断面図
【図３】円筒型電気化学セルを用いた水蒸気電解装置の概略構成を示した斜視図
【図４】図３に示した水蒸気電解装置の側断面図
【図５】片端閉じ円筒型の電気化学セルを用いた水蒸気電解装置の側断面図
【図６】水素極側と酸素極側とでガスの流れ方向を逆方向にした水蒸気電解装置の側断面図
【図７】第２の実施の形態に係る水蒸気電解装置の構成概略を示した側断面図
【図８】第３の実施の形態に係る水蒸気電解装置の構成概略を示した側断面図
【図９】第４の実施の形態に係る水蒸気電解装置の構成概略を示した側断面図
【図１０】第５の実施の形態に係る水蒸気電解装置の構成概略を示した側断面図
【図１１】第６の実施の形態に係る水蒸気電解装置の構成概略を示した側断面図
【図１２】従来の高温水蒸気電解装置の構造模式図
【図１３】従来のセル周辺部の構造図
【発明を実施するための形態】
【００２１】
以下、本発明に係る高温水蒸気電解装置及び方法について、図面を参照しながら説明する。
【００２２】
（第１の実施の形態）
本発明に係る高温水蒸気電解装置及び方法の第１の実施の形態について、図１〜６を参照しながら説明する。図１は平板型電気化学セルを単体で適用した場合の水蒸気電解装置の構成概略を示した斜視図（内部構造については、容器内部の電気化学セルのみ破線で示した。）であり、図２はその側断面図である。
【００２３】
まず、図１及び図２に示したように、この第１の実施の形態に係る水蒸気電解装置１０は、主に、電気化学セル１１と、該電気化学セル１１を格納する容器１２と、水蒸気を主な成分とするガスを供給する水蒸気供給部１３と、水素極側雰囲気のガスを排出する水素ガス排出部１４と、酸素極側雰囲気のガスを排出する酸素ガス排出部１５と、水素極側電流リード部１６と、酸素極側電流リード部１７と、から構成されている。
【００２４】
本発明で用いる電気化学セルは、固体酸化物を主として含有する電解質を水素極及び酸素極で挟持して構成されたものであれば、特に限定されるものではなく、例えば、図２に示したように、平板状の固体酸化物を主として含有する電解質１１ａを基体とし、それを挟む形で水素極１１ｂ及び酸素極１１ｃを設けた平板型の電気化学セル１１が一例として挙げられる。
【００２５】
ここで用いる電解質は、固体酸化物を主として含有するものであり、例えば、ＺｒＯ２に、Ｙ２Ｏ３、Ｓｃ２Ｏ３、Ｎｄ２Ｏ３、Ｓｍ２Ｏ３、Ｇｄ２Ｏ３、Ｙｂ２Ｏ３等を固溶した安定化ジルコニア系の電解質、ＣｅＯ２に、Ｓｍ２Ｏ３、Ｇｄ２Ｏ３、Ｙ２Ｏ３等を固溶したセリア系の電解質、ＬａＳｒＧａＭｇＯ３等のＬａＧａＯ３を母体に一部元素を置換したランタンガレード系の電解質、ＳｒＣｅＯ３、ＢａＣｅＯ３やこれらを母体として一部を元素を置換した電解質等のプロトン導電体、Ｂｉ２Ｏ３に、Ｙ２Ｏ３、Ｎｄ２Ｏ５、ＷＯ３、Ｇｄ２Ｏ３等を固溶した酸化ビスマス系の電解質、Ｌａ２Ｚｒ２Ｏ７、Ｌａ２Ｚｒ２Ｏ７、Ｓｍ２Ｚｒ２Ｏ７、Ｇｄ２Ｚｒ２Ｏ７等のパイロクロール型酸化物系等の電解質が挙げられる。
【００２６】
さらに、ここで用いる水素極１１ｂは、耐酸化性材料を含有して形成されたもので、酸化により、電気伝導性、触媒活性などの電気化学反応に必要な機能が失われないものであればよい。ここで、電極に耐酸化性材料を含有させることで、供給ガスに、従来のガスより還元雰囲気が低減されている水蒸気を主な成分とするガスを用いても、電極の酸化劣化を低減させることを可能としたものである。
【００２７】
この場合、耐酸化性材料は、従来使用されていた水素極の材質（Ｎｉ−ＹＳＺ、Ｎｉ−ＳＤＣ等）よりも耐酸化性に優れた材質であればその種類は特に制限されるものではなく、例えば、Ｐｔ、Ｒｕ、Ｐｄ、Ｒｈ等の貴金属が挙げられ、水素極をこれら貴金属を単独で用いて形成しても構わないし、これら貴金属の合金や、ＹＳＺ（イットリア安定化ジルコニア）、ＳｃＳＺ（スカンジア安定化ジルコニア）、ＳＤＣ（サマリア置換セリア）、ＧＤＣ（ガドリニウム置換セリア）、ＬＤＣ（ランタニウム置換セリア）等の多孔質セラミックに貴金属を混合したサーメット（セラミックと金属との混合物）としてもよい。サーメットを用いる場合には、貴金属の混合割合が０．１〜２質量％とすることが好ましい。
【００２８】
一方、ここで用いる酸素極１１ｃは、耐還元性材料を含有して形成されるもので、還元により、電気伝導性、触媒活性などの電気化学反応に必要な機能が失われないものであればよい。ここで、電極に耐還元性材料を含有させることで、供給ガスに、従来のガスより酸化雰囲気が低減されている水蒸気を用いても、電極の還元劣化を低減させることを可能としたものである。
【００２９】
この場合、耐還元性材料は、従来使用されていた酸素極の材質（ＬＳＭ、ＬＳＣ）よりも耐還元性に優れた材質であればその種類は特に制限されるものではなく、例えば、Ｐｔ、Ｒｕ、Ｐｄ、Ｒｈ等の貴金属が挙げられ、酸素極をこれら貴金属を単独で用いて形成しても構わないし、これら貴金属の合金としてもよい。
【００３０】
また、本実施の形態ではこのように構成された電気化学セル１１は、容器１２に格納され、この容器１２は原料となる水蒸気を主成分とするガスを、電気化学セル１１の水素極１１ｂ及び酸素極１１ｃにそれぞれ導き、この水蒸気を電気分解することにより水素ガスと酸素ガスを生成させ、それぞれ排出するように構成されている。すなわち、この容器１２には、水蒸気を主成分とするガスを供給する水蒸気供給部１３、水素極側で生成した水素ガスと原料ガスの混合ガスを排出する水素ガス排出部１４、酸素極側で生成された酸素ガスと原料ガスの混合ガスを排出する酸素ガス排出部１５が形成されており、水素ガスと酸素ガスは互いにリークして混合しないように電気化学セルの端部がシールされている。
【００３１】
この電気化学セル端部のシール方法に関しては、水素極側と酸素極側のガスが互いにリークしないようにするものであれば特に限定されるものではなく、例えば、ガラス材料やセラミック材料などを用いて、電気化学セル１１と、容器１２を接合し、シールする方法が挙げられる。
【００３２】
この他に、例えば、図１の平板型電気化学セルを用いる場合、容器１２に、電気化学セル１１を支持・固定する支持・固定部を、機械的に溝を設けることで形成し、電気化学セル１１を支持・固定するのみで、簡易的なシールが可能である。さらには、セラミック材料やガラス材料で接合を補強することにより、シール性能を向上させることができる。
【００３３】
そして、この電気化学セル１１は、水素極に水素極側電流リード部１６、酸素極に酸素極側電流リード部１７が接続され、これら両リード部により、酸素極と水素極に電圧をかけることができるようになっている。
【００３４】
このように構成された本実施の形態に係る水蒸気電解装置１０において、水素極１１ｂ側及び酸素極１１ｃ側に供給されるガスは、水蒸気を主成分とする同一のガスを導入するため、供給部１３を共用することができる。従って、従来のように、例えば、水素極側では水蒸気及び還元性ガスを供給し、酸素極側に空気を供給するといった、両極で全く異なるガスを導入するための機器及び機構が不必要となり、簡易な装置構造を有する水蒸気電解装置とすることができる。また、供給部を同一としていることから、両極の供給圧は同一となるため、セル端部におけるガスリークを最小限にとどめることも可能となる。
【００３５】
本実施の形態では平板型の電気化学セルを示したが、本発明においては、特に、その形態が問われるものではなく、電気化学セルの形態としては、平板型、円筒型、片端閉じ円筒型、ハニカム型、プリーツ型、波型等を用いることもできる。そして、このセルは単体でも複数を用いた集合体でも構わないし、その大きさについても、十分に電気分解を行うことができるものであれば、特に制限されるものではない。
【００３６】
例えば、円筒型の電気化学セルを用いた水蒸気電解装置について、図３に円筒型電気化学セルを用いた場合の水蒸気電解装置の構成概略を示した斜視図（内部構造については、容器内部の電気化学セルのみ破線で示した。）、図４にその側断面図を示した。この水蒸気電解装置２０は、主に、電気化学セル２１と、該電気化学セル２１を格納する容器２２と、水蒸気を主な成分とするガスを供給する水蒸気供給部２３と、水素極側雰囲気のガスを排出する水素ガス排出部２４と、酸素極側雰囲気のガスを排出する酸素ガス排出部２５と、水素極側電流リード部２６と、酸素極側電流リード部２７と、から構成されている。この円筒型の電気化学セル２１は、円筒型の電解質２１ａを基体とし、その内側に水素極２１ｂを、その外側に酸素極２１ｃを設けて構成されたものである。
【００３７】
この図３及び図４の円筒型電気化学セル２１を用いる場合、セルの端部を容器２２に支持・固定して、セルにシールを施しているが、特に、支持・固定位置は限定されるものではない。例えば、セルの基体部分を長くし、セル途中部分で容器２２に支持・固定し、セルにシールを施すこともできる。水素極側雰囲気のガスを排出する水素ガス排出部２４を高温の反応部から離せば、シール部を反応部から離して温度を低い条件とすることが可能となるため、高温環境では使用できなかったシール材料や方法の選択肢が増え、シール性能を向上させることができる。これにより、水素極及び酸素極の一方の雰囲気から他方の雰囲気へのガスリークを軽減することが容易に、効果的に行うことができる。
【００３８】
さらに、片端閉じ円筒型の電気化学セルは、その形状は円筒型の片側の端部が閉塞して、一方のみが開放された形状であり、これを用いた水蒸気電解装置について、図５にその側断面図を示した。この片端閉じ円筒型の電気化学セルを適用した水蒸気電解装置３０は、主に、電気化学セル３１と、該電気化学セル３１を格納する容器３２と、水蒸気を主な成分とするガスを供給する水蒸気供給部３３と、水素極側雰囲気のガスを排出する水素ガス排出部３４と、酸素極側雰囲気のガスを排出する酸素ガス排出部３５と、水素極側電流リード部３６と、酸素極側電流リード部３７と、から構成されている。
【００３９】
ここで、水素極及び酸素極に供給する水蒸気を主成分とするガスの供給条件、例えば、水蒸気供給流量、供給流速等は、本実施の形態では同一として説明したが、同一に限るものではなく、異なっても構わない。水素極及び酸素極に供給する水蒸気を主成分とするガスの供給条件が異なる場合には、供給条件を調整できる仕組みを組み込み、供給流量や供給流速などを調整すればよく、例えば、水素極及び酸素極のそれぞれのガス排出部において、流量調整弁を設けたり、配管径を調整する等を実施すればよく、供給条件を調整できる仕組みについては、特にその方法、機構などは問わない。
【００４０】
また、このように構成された本実施の形態において、水素極と酸素極に供給するガスの流れ方向については、特に限定されるものではなく、水素極と酸素極に供給するガスの流れが、互いに逆方向でも直交方向でも、それ以外のものでもよい。
【００４１】
例えば、水素極と酸素極に供給するガスの流れを逆方向として、ガスを流して運転した場合の構成の一例を図６に示した。図６は平板型電気化学セルを単体で適用したものである。この場合、水素極４１ｂ側では、ガスの供給部４３ａ側からガスの排出部４４側に向かって水素濃度が高い雰囲気となる。一方、酸素極４１ｃ側では、水素極側とガスの流れ方向が逆となる。すなわち、水素極側でガスの排出部４４側が、酸素極側ではガスの供給部４３ｂになる。よって、水素極側で水素濃度が高い雰囲気に対して、酸素極側では酸素濃度が低い雰囲気となる。そのため、微量の水素がリークした場合も、酸素が少ないため、燃焼反応は最小限に抑制することが可能となり、水素極側への微量の酸素リークが生じた場合も同様の効果が得られる。
【００４２】
本実施の形態によれば、簡易な装置構造により形成でき、かつ、水素極が酸化されたり、酸素極が還元されたりすることを抑制し、電極の長寿命化を図ることができる。さらに、装置構成が簡易であることから、水素極側雰囲気と酸素極側雰囲気間で生じるガスリークによる影響を軽減することも容易に達成できる。したがって、本実施形態における水蒸気電解装置及び方法は、全体として高効率に水蒸気を電気分解することができる。
【００４３】
（第２の実施の形態）
次に、本発明に係る高温水蒸気電解装置及び方法の第２の実施の形態について、図７を参照しながら説明する。なお、第１の実施の形態と同一の構成には同一の符号を付し、重複する説明は省略する。図７は平板型電気化学セルを単体で適用した場合の側断面図の構成概略を示したものである。
【００４４】
図７に示したように、この第２の実施の形態に係る水蒸気電解装置５０は、主に、電気化学セル５１と、該電気化学セルを格納する容器１２と、水蒸気を主な成分とするガスを供給する水蒸気供給部１３と、水素極側雰囲気のガスを排出する水素ガス排出部１４と、酸素極側雰囲気のガスを排出する酸素ガス排出部１５と、水素極側電流リード部１６と、酸素極側電流リード部１７と、から構成されている。
【００４５】
ここで示した電気化学セル５１は、第１の実施の形態と同様に平板型のものを示したが、これに限定されるものではないことも第１の実施の形態と同様である。また、第２の実施の形態に係る水蒸気電解装置５０は、電気化学セル５１以外は第１の実施の形態と同一の構成を有している。以下、相違点のみについて説明する。
【００４６】
この電気化学セル５１は、平板状の固体酸化物を主として含有する電解質５１ａを基体とし、それを挟む形で水素極５１ｂ及び酸素極５１ｃが設けられている平板型の電気化学セルである点で第１の実施の形態と同様であるが、本実施の形態における水素極及び酸素極は、電極材料に耐酸化性材料又は耐還元性材料を添加して作成されたものである。すなわち、水素極５１ｂは、耐酸化性材料を他の電極材料に添加し、酸素極５１ｃは、耐還元性材料を他の電極材料に添加して形成されたものである。
【００４７】
このように構成された本実施の形態において、水素極５１ｂ側の雰囲気は、従来のガスより還元雰囲気が低減されている水蒸気を主な成分とするガスであるため、水素極層内部では、電極材料粒子の表面において、部分的に電極材料が酸化されて電気化学反応活性が低下するが、電解反応により逐次水素が生成されて還元雰囲気が増長されるようになっている。このように還元雰囲気が増長されると、その近辺には添加により混合又は分散された耐酸化性材料が存在し、水蒸気電解反応によって生成された水素によって、酸化された電極材料が再還元され、電気化学反応活性が回復して、効果的に水蒸気電解反応を行うことが可能となる。したがって、水素極の酸化劣化を低減し、電解特性を維持することが可能となる。
【００４８】
このとき、水素極５１ｂの製造は、電極材料に耐酸化性材料を添加したものを用いるが、ここで添加とは、混合又は分散させることをいい、混合とは、対象となるそれぞれの粉体を機械的に混合することをいい、分散とは、成形された電極材料に耐酸化性材料を含む液体を含浸させることをいう。このように電極材料に耐酸化性材料を添加したものを所望の形状とし、焼成して水素極用の電極を製造することができる。
【００４９】
ここで、水素極の電極材料としては、ＹＳＺ、ＳｃＳＺ、ＳＤＣ、ＧＤＣ、ＬＤＣ等のセラミックが挙げられ、耐酸化性材料としては、例えば、Ｐｔ、Ｒｕ、Ｐｄ、Ｒｈ等の貴金属材料が挙げられる。
【００５０】
ここで、添加の割合は特に限定されないが、酸化劣化を効果的に低減する観点から、耐酸化性材料を０．１〜２質量％含有するような量とすることが好ましい。また、水蒸気を含む水蒸気供給部側で耐酸化性材料の組成比を多くし、ガス排出部側に向かって、徐々に耐酸化性材料の組成比を減らした、傾斜構成としてもよい。
【００５１】
一方、酸素極５１ｃ側について、従来のガスより酸化雰囲気が低減されている水蒸気が主な成分となるガスであるため、酸素極層内部では、電極材料粒子の表面において、部分的に電極材料が還元されて電気化学反応活性が低下するが、電解反応により酸化物イオンが酸素へ再生成されることにより、逐次酸素が生成され、酸化雰囲気が増長されると、その近辺には添加された耐還元性材料が存在し、酸素再生成反応によって生成された酸素によって、還元された電極材料が再酸化され、電気化学反応活性が回復して、効果的に水蒸気電解反応を行うことが可能となる。したがって、酸素極の還元劣化を低減し、電解特性を維持することが可能となる。
【００５２】
このとき、酸素極５１ｃの製造は、電極材料に耐還元性材料を添加した物を用いるが、ここで添加とは、混合又は分散させることをいい、混合とは、対象となるそれぞれの粉体を機械的に混合することをいい、分散とは、成形された電極材料に耐還元性材料を含む液体を含浸することをいう。このように電極材料に耐還元性材料を添加した物を所望の形状とすることで酸素極用の電極を製造することができる。
【００５３】
ここで、酸素極の電極材料としては、ＬＳＭやＬＳＣ等が挙げられ、耐還元性材料としては、例えば、Ｐｔ、Ｒｕ、Ｐｄ、Ｒｈ等の貴金属材料が挙げられる。
【００５４】
ここで、添加の割合は特に限定されないが、還元劣化を効果的に低減する観点から、耐還元性材料を０．１〜２質量％含有するような量とすることが好ましい。また、水蒸気を含む水蒸気供給部側で耐還元性材料の組成比を多くし、ガス排出部側に向かって、徐々に耐還元性材料の組成比を減らした、傾斜構成としてもよい。
【００５５】
本実施の形態によれば、簡易な装置構造を形成でき、かつ、水素極及び酸素極の両電極が酸化又は還元されることを効率的に抑制し、電極の長寿命化を図ることができる。さらに、装置構成が簡易であることから、水素極側雰囲気と酸素極側雰囲気間で生じるガスリークによる影響を軽減することも容易に達成できる。したがって、本実施形態における水蒸気電解装置及び方法は、全体として高効率に水蒸気を電気分解することができる。
【００５６】
（第３の実施の形態）
次に、本発明に係る高温水蒸気電解装置及び方法の第３の実施の形態について、図８を参照しながら説明する。なお、第１の実施の形態と同一の構成には同一の符号を付し、重複する説明は省略する。図８は平板型電気化学セルを単体で適用した場合の実施の形態を示したものである。
【００５７】
図８に示したように、この第３の実施の形態に係る水蒸気電解装置６０は、主に、電気化学セル６１と、該電気化学セルを格納する容器１２と、水蒸気を主な成分とするガスを供給する供給部１３と、水素極側雰囲気のガスを排出する水素ガス排出部１４と、酸素極側雰囲気のガスを排出する酸素ガス排出部１５と、水素極側電流リード部１６と、酸素極側電流リード部１７と、から構成されている。
【００５８】
ここで示した電気化学セル６１は、第１の実施の形態と同様に平板型のものを示したが、これに限定されるものではないことは第１の実施の形態と同様である。また、第３の実施の形態に係る水蒸気電解装置６０は、電気化学セル６１以外は第１の実施の形態と同一の構成を有している。以下、相違点のみについて説明する。
【００５９】
この電気化学セル６１は、平板状の固体酸化物を主として含有する電解質６１ａを基体とし、それを挟む形で水素極及び酸素極が設けられている平板型の電気化学セルである点は第１の実施の形態と同様であるが、本実施の形態における水素極は水素極６１ｂ及び６１ｄ、酸素極は酸素極６１ｃ及び６１ｅからなるものであり、それぞれガスの供給部側とガスの排出部側で異なる材料の電極で構成されたものである。
【００６０】
このように構成された本実施の形態において、水素極側の雰囲気は、従来のガスより還元雰囲気が低減されている水蒸気を主な成分とするガスであり、それは水蒸気供給部１３側で顕著であり、水素ガス排出部側に向かって、水蒸気が電解されて水素を生成するため、還元雰囲気が増長するようになっている。よって、水蒸気供給部側の水素極６１ｂの電極を、耐酸化性材料により形成することにより、電極の酸化劣化を低減し、電解特性を維持することが可能となる。
【００６１】
この場合、耐酸化性材料としては、従来使用されていた水素極の材質（Ｎｉ−ＹＳＺ、Ｎｉ−ＳＤＣ等）よりも耐酸化性に優れた材質であればその種類は特に制限されるものではなく、例えば、Ｐｔ、Ｒｕ、Ｐｄ、Ｒｈ等の貴金属が挙げられ、水素極をこれら貴金属を単独で用いて形成しても構わないし、これら貴金属の合金や、ＹＳＺ、ＳｃＳＺ、ＳＤＣ、ＧＤＣ、ＬＤＣ等の多孔質セラミックに貴金属を混合したサーメット（セラミックと金属との混合物）を用いてもよい。サーメットを用いる場合には、貴金属の混合割合が０．１〜２質量％とすることが好ましい。
【００６２】
また、水素ガス排出部側に配した水素極６１ｄの材質は、特に制限されずに用いることができ、例えば、Ｎｉ−ＹＳＺやＮｉ−ＳＤＣなどを用いてもよい。
【００６３】
また、水蒸気を含むガスの供給部側に配した水素極６１ｂと水素ガス排出部側に配した水素極６１ｄの構成割合は特に制限されず、電流の大きさや水蒸気の利用率等のそのときの状況に応じて適宜決定すればよい。
【００６４】
ここで、本実施の形態では、水素極を２つの異なる材料により形成するものとし、水蒸気供給部１３側を耐酸化性材料を含むものとしたが、これをさらに３以上の異なる材料により形成することもできる。その場合には、使用する電極材料のうち、水蒸気供給部１３側を耐酸化性に最も優れた材料とし、水素ガス排出部１４側に向かって段階的に耐酸化性が低下するように材料を接合して設けてもよい。
【００６５】
一方、酸素極側は、従来のガスより還元雰囲気が低減されている水蒸気を主な成分とするガスであり、それは水蒸気供給部１３側で顕著であり、酸素ガス排出部１５側に向かって、水素極側の水蒸気の電解によって生成した酸化物イオンが、電解質を移動して、酸素極側で酸素を再生成するため、酸化雰囲気が増長されるようになっている。よって、ガスの供給部側の酸素極６１ｃの電極を、耐還元性材料により形成することにより、電極の還元劣化を低減し、電解特性を維持することが可能となる。
【００６６】
この場合、耐還元性材料としては、耐還元性材料を含有して形成されるもので、還元により、電気伝導性、触媒活性などの電気化学反応に必要な機能が失われないものであればよい。この場合、耐還元性材料は、従来使用されていた酸素極の材質（ＬＳＭ、ＬＳＣ）よりも耐還元性に優れた材質であればその種類は特に制限されるものではなく、例えば、Ｐｔ、Ｒｕ、Ｐｄ、Ｒｈ等の貴金属が挙げられ、酸素極をこれら貴金属を単独で用いて形成しても構わないし、これら貴金属の合金としてもよい。
【００６７】
また、酸素ガス排出部側に配した酸素極６１ｅの材質は、特に制限されずに用いることができ、例えば、ＬＳＭやＬＳＣなどを用いてもよい。
【００６８】
また、水蒸気を含むガスの供給部側に配した酸素極６１ｃと酸素ガス排出部側に配した酸素極６１ｅの構成割合は特に制限されず、電流の大きさや水蒸気の利用率等のそのときの状況に応じて適宜決定すればよい。
【００６９】
ここで、本実施の形態では、酸素極を２つの異なる材料により形成するものとし、水蒸気供給部１３側を耐還元性材料を含むものとしたが、これをさらに３以上の異なる材料により形成することもできる。その場合には、使用する電極材料のうち、水蒸気供給部１３側を耐還元性に最も優れた材料とし、酸素ガス排出部１５側に向かって段階的に耐還元性が低下するように材料を接合して設けてもよい。
【００７０】
本実施の形態によれば、簡易な装置構造を形成でき、かつ、水素極及び酸素極の両電極が酸化又は還元されることを効率的に抑制し、電極の長寿命化を図ることができる。さらに、装置構成が簡易であることから、水素極側雰囲気と酸素極側雰囲気間で生じるガスリークによる影響を軽減することも容易に達成できる。したがって、本実施形態における水蒸気電解装置及び方法は、全体として高効率に水蒸気を電気分解することができる。
【００７１】
（第４の実施の形態）
次に、本発明に係る高温水蒸気電解装置及び方法の第４の実施の形態について、図９を参照しながら説明する。なお、第１の実施の形態と同一の構成には同一の符号を付し、重複する説明は省略する。図９は平板型電気化学セルを単体で適用した場合の実施の形態を示したものである。
【００７２】
図９に示したように、この第４の実施の形態に係る水蒸気電解装置７０は、主に、電気化学セル７１と、該電気化学セルを格納する容器１２と、水蒸気を主な成分とするガスを供給する供給部１３と、水素極側雰囲気のガスを排出する水素ガス排出部１４と、酸素極側雰囲気のガスを排出する酸素ガス排出部１５と、水素極側電流リード部１６と、酸素極側電流リード部１７と、から構成されている。
【００７３】
この電気化学セル７１は、平板状の固体酸化物を主として含有する電解質７１ａを基体とし、それを挟む形で水素極７１ｂ及び酸素極７１ｃが設けられている平板型の電気化学セルである点は第１の実施の形態と同様であるが、本実施の形態における水素極及び酸素極は、それぞれ耐酸化性材料又は耐還元性材料を含有する割合が、ガスの供給部側から排出部側に向けて減少するように構成されるものである。
【００７４】
すなわち、水素極７１ｂは、水蒸気供給部１３側からガスの水素ガス排出部１４側に向かって、耐酸化性材料を含有する濃度が傾斜的に減少していくように形成されたものであり、酸素極７１ｃは、水蒸気供給部１３側から酸素ガス排出部１５側に向かって、耐還元性材料を含有する濃度が傾斜的に減少していくように形成されたものである。
【００７５】
このように構成された本実施の形態において、水素極７１ｂ側の雰囲気は、従来のガスより還元雰囲気が低減されている水蒸気を主な成分とするガスであり、それは水蒸気供給部１３側で顕著であり、水素ガス排出部側に向かって、水蒸気が電解されて水素を生成するため、還元雰囲気が増長するようになっている。よって、水素極７１ｂは、ガスの供給部側の耐酸化性材料の組成比が多くなっており、排出部側に向かって、徐々に耐酸化性材料の組成比を減らすように濃度の傾斜した構成を有する電極であるため、電極材料の酸化劣化を低減し、電解特性を維持することが可能となる。
【００７６】
この場合、耐酸化性材料としては、従来使用されていた水素極の材質（Ｎｉ−ＹＳＺ、Ｎｉ−ＳＤＣ等）よりも耐酸化性に優れた材質であればその種類は特に制限されるものではなく、例えば、Ｐｔ、Ｒｕ、Ｐｄ、Ｒｈ等の貴金属が挙げられ、水素極をこれら貴金属を単独で用いて形成しても構わないし、これら貴金属の合金や、ＹＳＺ、ＳｃＳＺ、ＳＤＣ、ＧＤＣ、ＬＤＣ等の多孔質セラミックに貴金属を混合したサーメット（セラミックと金属との混合物）を用いてもよい。サーメットを用いる場合には、貴金属の混合割合が０．１〜２質量％とすることが好ましい。
【００７７】
一方、酸素極側は、従来のガスより還元雰囲気が低減されている水蒸気を主な成分とするガスであり、それは水蒸気供給部１３側で顕著であり、酸素ガス排出部１５側に向かって、水素極側の水蒸気の電解によって生成した酸化物イオンが、電解質を移動して、酸素極側で酸素を再生成するため、酸化雰囲気が増長されるようになっている。よって、酸素極７１ｃは、ガスの供給部側の耐還元性材料の組成比が多くなっており、排出部側に向かって、徐々に耐還元性材料の組成比を減らすように濃度の傾斜した構成を有する電極であるため、電極材料の還元劣化を低減し、電解特性を維持することが可能となる。
【００７８】
この場合、耐還元性材料としては、耐還元性材料を含有して形成されるもので、還元により、電気伝導性、触媒活性などの電気化学反応に必要な機能が失われないものであればよい。この場合、耐還元性材料は、従来使用されていた酸素極の材質（ＬＳＭ、ＬＳＣ）よりも耐還元性に優れた材質であればその種類は特に制限されるものではなく、例えば、Ｐｔ、Ｒｕ、Ｐｄ、Ｒｈ等の貴金属が挙げられ、酸素極をこれら貴金属を単独で用いて形成しても構わないし、これら貴金属の合金としてもよい。
【００７９】
本実施の形態によれば、簡易な装置構造を形成でき、かつ、水素極及び酸素極の両電極が酸化又は還元されることを効率的に抑制し、電極の長寿命化を図ることができる。さらに、装置構成が簡易であることから、水素極側雰囲気と酸素極側雰囲気間で生じるガスリークによる影響を軽減することも容易に達成できる。したがって、本実施形態における水蒸気電解装置及び方法は、全体として高効率に水蒸気を電気分解することができる。
【００８０】
（第５の実施の形態）
次に、本発明に係る高温水蒸気電解装置及び方法の第５の実施の形態について、図１０を参照しながら説明する。なお、第１の実施の形態と同一の構成には同一の符号を付し、重複する説明は省略する。図１０は平板型電気化学セルを単体で適用した場合の実施の形態を示したものである。
【００８１】
図１０に示したように、この第５の実施の形態に係る水蒸気電解装置８０は、主に、電気化学セル１１と、該電気化学セルを格納する容器１２と、水蒸気を主な成分とするガスを供給する供給部１３と、水素極側雰囲気のガスを排出する水素ガス排出部１４と、酸素極側雰囲気のガスを排出する酸素ガス排出部１５と、水素極側電流リード部１６と、酸素極側電流リード部１７と、水素極側雰囲気に還元性ガスを供給する還元性ガス供給部８３ａと、酸素極側雰囲気に酸化性ガスを供給する酸化性ガス供給部８３ｂと、から構成されている。
【００８２】
この電気化学セル１１は、第１の実施の形態と同一のものであり、本実施の形態においては、この電気化学セル１１の水蒸気供給部１３側に、還元性ガス供給部８３ａと酸化性ガス供給部８３ｂとが設けられている以外は、第１の実施の形態と同一の構成となっている。
【００８３】
すなわち、この電気化学セル１１の水素極１１ｂ側において、還元性ガスを供給する還元性ガス供給部８３ａが、水素極１１ｂの水蒸気供給部側表面を還元雰囲気にするように還元性ガスを供給することができるように設けられている。また、酸素極１１ｃ側において、酸化性ガスを供給する酸化性ガス供給部８３ｂが、酸素極１１ｃの水蒸気供給部側表面を酸化雰囲気にするように酸化性ガスを供給することができるように設けられている。
【００８４】
この電気化学セル１１の水素極１１ｂ側は、水蒸気が主な成分である供給ガスに、還元性ガスを供給することにより、還元雰囲気が増長されるため、電極材料の酸化劣化を低減し、電解特性を維持することが可能となる。用いる還元性ガスとしては、水素が挙げられるが、還元雰囲気を増長させることができるものであれば、特に種類は制限されない。
【００８５】
この還元性ガスの供給場所は、特に水蒸気により酸化される可能性が高い部分、例えば、水蒸気供給部１３側のセル端部を十分に還元性雰囲気とすることができるようなものとすることが好ましい。
【００８６】
一方、酸素極１１ｃ側は、水蒸気が主な成分である供給ガスに、酸化性ガスを供給することにより、酸化雰囲気が増長されるため、電極材料の還元劣化を低減し、電解特性を維持することが可能となる。用いる酸化性ガスとしては、酸素、空気等が挙げられるが、酸化雰囲気を増長させることができるものであれば、特に種類は限定されない。
【００８７】
この酸化性ガスの供給場所は、特に水蒸気により還元される可能性が高い部分、例えば、水蒸気供給部１３側のセル端部を十分に酸化雰囲気とすることができるようなものとすることが好ましい。
【００８８】
本実施の形態によれば、簡易な装置構造を形成でき、かつ、水素極及び酸素極の両電極が酸化又は還元されることを効率的に抑制し、電極の長寿命化を図ることができる。さらに、装置構成が簡易であることから、水素極側雰囲気と酸素極側雰囲気間で生じるガスリークによる影響を軽減することも容易に達成できる。したがって、本実施形態における水蒸気電解装置及び方法は、全体として高効率に水蒸気を電気分解することができる。
【００８９】
（第６の実施の形態）
次に、本発明に係る高温水蒸気電解装置及び方法の第６の実施の形態について、図１１を参照しながら説明する。なお、第１の実施の形態と同一の構成には同一の符号を付し、重複する説明は省略する。図１１は平板型電気化学セルを単体で適用した場合の実施の形態を示したものである。
【００９０】
図１１に示したように、この第６の実施の形態に係る水蒸気電解装置９０は、主に、電気化学セル１１と、該電気化学セルを格納する容器１２と、水蒸気を主な成分とするガスを供給する供給部１３と、水素極側雰囲気のガスを排出する水素ガス排出部１４と、酸素極側雰囲気のガスを排出する酸素ガス排出部１５と、水素極側電流リード部１６と、酸素極側電流リード部１７と、水素ガス排出部から排出されるガスの一部を水素極側雰囲気に循環させる水素ガス循環供給部９３ａと、酸素ガス排出部から排出されるガスの一部を酸素極側雰囲気に循環させる酸素ガス循環供給部９３ｂと、水素ガスを循環させるためのブロアー９４ａと、酸素ガスを循環させるためのブロアー９４ｂと、から構成されている。
【００９１】
この電気化学セル１１は、第１の実施の形態と同一のものであり、本実施の形態においては、この電気化学セル１１の水蒸気供給部１３側に、水素ガス循環供給部９３ａと酸素ガス循環供給部９３ｂと、水素ガスを循環させるためのブロアー９４ａと、酸素ガスを循環させるためのブロアー９４ｂと、が設けられている以外は第１の実施の形態と同一の構成となっている。
【００９２】
すなわち、この電気化学セル１１の水素極１１ｂ側においては、水素ガス排出部１４から排出されるガスの一部を、水素極１１ｂの表面を還元雰囲気にするように循環させて供給することができるように設けられている。また、酸素極１１ｃ側には、酸素ガス排出部１５から排出されるガスの一部を、酸素極１１ｃの表面を酸化雰囲気にするように循環させて供給することができるように設けられている。
【００９３】
この電気化学セル１１の水素極１１ｂ側は、水蒸気が主な成分である供給ガスに、水素ガス排出部１４から排出されるガスの一部を循環して供給することにより、水素ガス濃度が高まり還元雰囲気が増長されるため、電極材料の酸化劣化を低減し、電解特性を維持することが可能となる。水素ガス排出部１４から排出されるガスは、水素ガスが主な成分であるため、還元雰囲気を増長するために別の還元性ガスを用意する必要がなく、水素極１１ｂの電解特性を低コストで有効に維持することができる。
【００９４】
この生成した水素ガスの供給場所は、特に水蒸気により酸化される可能性が高い部分、例えば、水蒸気供給部１３側のセル端部を十分に還元性雰囲気とすることができるようなものとすることが好ましい。
【００９５】
一方、酸素極１１ｃ側は、水蒸気が主な成分である供給ガスに、酸素ガス排出部１５から排出されるガスの一部を循環して供給することにより、酸素ガス濃度が高まり酸化雰囲気が増長されるため、電極材料の還元劣化を低減し、電解特性を維持することが可能となる。酸素ガス排出部１５から排出されるガスは、酸素ガスが主な成分となっているため、生成した酸素ガスを循環させることで、酸化雰囲気を増長するために別の供給ガスを用意する必要がなく、酸素極１１ｃの電解特性を低コストで有効に維持することができる。
【００９６】
この生成した酸素ガスの供給場所は、特に水蒸気により還元される可能性が高い部分、例えば、水蒸気供給部１３側のセル端部を十分に酸化雰囲気とすることができるようなものとすることが好ましい。
【符号の説明】
【００９７】
１０…水蒸気電解装置、１１…電気化学セル、１１ａ…電解質、１１ｂ…水素極、１１ｃ…酸素極、１２…容器、１３…水蒸気供給部、１４…水素ガス排出部、１５…酸素ガス排出部、１６…水素極側電流リード部、１７…酸素極側電流リード部、８３ａ…還元性ガス供給部、８３ｂ…酸化性ガス供給部、９３ａ…水素ガス循環供給部、９３ｂ…酸素ガス循環供給部、９４ａ…ブロアー、９４ｂ…ブロアー、１００…水蒸気電解装置、１０１…電気化学セル、１０２…水蒸気供給室、１０３…生成水素排出室、１０４…水蒸気注入管、１０５…酸素生成室、１０６…電流リード用金属キャップ、１０７…シールキャップ、１０８…テーパ型シーリング
【図１】
0005514266.tif 000002
【図２】
0005514266.tif 000003
【図３】
0005514266.tif 000004
【図４】
0005514266.tif 000005
【図５】
0005514266.tif 000006
【図６】
0005514266.tif 000007
【図７】
0005514266.tif 000008
【図８】
0005514266.tif 000009
【図９】
0005514266.tif 000010
【図１０】
0005514266.tif 000011
【図１１】
0005514266.tif 000012
【図１２】
0005514266.tif 000013
【図１３】
0005514266.tif 000014